(57)【要約】【課題】  ウェブサービス技術を支援するＡ/Ｖネットワークにおけるコンテンツ再生時の字幕表示方法及びその装置を提供する。【解決手段】  本Ａ/Ｖネットワークにおけるコンテンツ再生時の字幕表示方法は、再生選択されたコンテンツの該当字幕を検索し、検索された字幕をローディングするステップと、ローディングされた字幕をパーシングするステップと、パーシングされた字幕と再生択されたコンテンツを復号化するステップと、復号化された字幕付きコンテンツを再生可能なフォーマットに符号化するステップとを含む。  これにより、コンテンツと同時に字幕が提供され、使用者の利便性が増大する。【選択図】      図３
2007184899.tif 000002
【特許請求の範囲】
【請求項１】
再生選択されたコンテンツの該当字幕を検索し、前記検索された字幕をローディングするステップと、
前記ローディングされた字幕をパーシングするステップと、
前記パーシングされた字幕と前記再生選択されたコンテンツを復号化するステップと、
前記復号化された字幕付きコンテンツを再生可能なフォーマットに符号化するステップとを含むことを特徴とするＡ/Ｖネットワークにおけるコンテンツ再生時の字幕表示方法。
【請求項２】
前記復号化ステップは、前記パーシングされた字幕データを該当する字幕の表示時間に字幕の表示期間の間、前記復号化されたコンテンツに出力することを特徴とする請求項１に記載のＡ/Ｖネットワークにおけるコンテンツ再生時の字幕表示方法。
【請求項３】
前記字幕パーシングステップは、前記ローディングされた字幕に含まれている字幕データ、字幕表示時間、及び字幕表示期間を分離することを特徴とする請求項１に記載のＡ/Ｖネットワークにおけるコンテンツ再生時の字幕表示方法。
【請求項４】
前記符号化された字幕付きコンテンツをＩＥＥＥ１３９４に基盤して伝送するステップを更に含むことを特徴とする請求項１に記載のＡ/Ｖネットワークにおけるコンテンツ再生時の字幕表示方法。
【請求項５】
前記符号化ステップは、
前記字幕付きコンテンツをＭＰＥＧ２−ＴＳフォーマットに変更してデジタル化することを特徴とする請求項１に記載のＡ/Ｖネットワークにおけるコンテンツ再生時の字幕表示方法。
【請求項６】
再生選択されたコンテンツの該当字幕を検索し、前記検索された字幕をローディングする字幕ローディング部と、
前記ローディングされた字幕をパーシングする字幕パーサー部と、
前記パーシングされた字幕と前記再生選択されたコンテンツを復号化するコンテンツ復号器と、
前記復号化された字幕付きコンテンツを再生可能なフォーマットに符号化するコンテンツ符号器とを含むことを特徴とするコンテンツ再生装置。
【請求項７】
前記コンテンツ復号器は、前記パーシングされた字幕データを該当する字幕表示時間に字幕表示期間の間、前記復号化されたコンテンツに出力することを特徴とする請求項６に記載のコンテンツ再生装置。
【請求項８】
前記字幕パーサー部は、前記ローディングされた字幕に含まれている字幕データ、字幕表示時間、字幕表示期間を分離することを特徴とする請求項６に記載のコンテンツ再生装置。
【請求項９】
前記符号化された字幕付きコンテンツをＩＥＥＥ１３９４に基盤して伝送するコンテンツ伝送部を更に含むことを特徴とする請求項６に記載のコンテンツ再生装置。
【請求項１０】
前記コンテンツ符号器は、前記字幕付きコンテンツをＭＰＥＧ２−ＴＳフォーマットに変更してデジタル化することを特徴とする請求項６に記載のコンテンツ再生装置。
【請求項１１】
検索のために選択されたコンテンツの字幕データをローディングするローディング手段と、
前記字幕データをパーシングするパーシング手段と、
前記コンテンツを復号化し、前記復号化されたコンテンツに前記パーシングされた字幕データを出力する復号化手段と、
前記パーシングされた字幕データを含む復号化されたコンテンツを符号化する符号化手段とを含むことを特徴とするコンテンツ検索装置。
【発明の詳細な説明】
【技術分野】
【０００１】
本発明はコンテンツ再生時の字幕表示方法及びその装置に関し、より詳細にはウェブサービスを支援するＡ/Ｖネットワークにおいてウェブサービスを用いたコンテンツ再生時、コンテンツの該当字幕を表示することができるようにするコンテンツ再生時の字幕表示方法及びその装置に関する。
【背景技術】
【０００２】
最近、デジタル音声/映像（以下「Ａ/Ｖ」という）の処理技術の画期的な発達に伴い、デジタルＴＶ、セットトップボックス、ＤＶＤ再生機器、デジタルアンプなど様々なＡ/Ｖ装置が家庭や事務室の中に設置され使われている。
【０００３】
使用者はリモコンなどを利用して該装置を簡単に制御できるが、一定の空間の中に設置されるＡ/Ｖ装置数が増加するほど各々の装置を制御するのはだんだん複雑で難しくなる。
【０００４】
そこで、複数のＡ/Ｖ装置を相互連動させて一つにシステム化し、使用者はシステム化されたＡ/Ｖ装置を簡単に制御することができるようにする技術が研究されてきた。かかる研究により、Ａ/Ｖ装置はネットワークインターフェースを介して他のＡ/Ｖ装置と連結されることで、全体的に一つのＡ/Ｖネットワークを構成するようになる。
【０００５】
この研究の一環として、最近Ａ/ＮホームネットワーキングのためのミドルウェアであるＸＨＴ（エクスパンダブルホームシアター）技術標準が開発され提示されている。該ＸＨＴ技術は、三星電子株式会社が開発したデジタルＴＶ中心のホームネットワークソリューションであって、米国家電協会（ＣＥＡ）の標準規格として採択された。
【０００６】
ＸＨＴ技術は、多数のＨＤ（高精密度）級の信号が安定的に伝達できるＩＥＥＥ１３９４ケーブルと、インターネットで主に使われる通信規格であるインターネットプロトコル（ＩＰ）とを用いて、デジタルＴＶと連結されたＡ/Ｖ装置のみならず複数のデジタルＴＶを制御することができるようにする。例えば、ＸＨＴ技術を利用すると、部屋の中でも居間にあるデジタルＴＶのデジタル放送受信機能を活用してデジタル放送を視聴することができる。
【０００７】
また、ＸＨＴ技術はデジタルＴＶに内蔵されているブラウザを通じてマルチメディアのコンテンツ再生のような様々な形態のポータルサービスが可能である。
【０００８】
図１は、一般的なＡ/Ｖネットワークシステムを示す図面である。同図に示すように、一般的なＡ/Ｖネットワークシステムは、イーサーネット（登録商標）基盤のインターネット網１０とＩＥＥＥ１３９４基盤のＩＥＥＥ１３９４網５０からなる。具体的には、イーサーネット（登録商標）基盤のインターネット網１０に含まれたＡ/Ｖ装置の一例であるＰＣ１２、ＩＥＥＥ１３９４基盤のＩＥＥＥ１３９４網５０に含まれたＤＴＶ５２、及びインターネット網１０とＩＥＥＥ１３９４網５０とを連結するＡ/Ｖゲートウェイ１００がある。
【０００９】
ＰＣ１２は、ビデオ、イメージ、音響のような様々なマルチメディアコンテンツを提供する。ＤＴＶ５２は、ＰＣ１２が提供する様々なマルチメディアコンテンツを再生して使用者が視聴できるようにする。Ａ/Ｖゲートウェイ１００は、ＰＣ１２とＤＴＶ５２とを連結し、ウェブサービスの形態で提供されるコンテンツに対する情報を用いて生成したコンテンツリスト及び使用者によって選択されたコンテンツをＤＴＶ５２に提供する。
【００１０】
この時、ＰＣ１２が提供するコンテンツは、ＭＰＥＧ２、ＡＶＩ、ＤＶＩＸ、ＭＰ３、ＡＳＦ、ＷＭＶなどの多様なフォーマットを有するが、ＤＴＶ５２はＭＰＥＧ２−ＴＳフォーマットのコンテンツのみ再生可能なので、Ａ/Ｖゲートウェイ１００は様々なフォーマットのコンテンツをＭＰＥＧ２−ＴＳフォーマットに変換して提供する。
【００１１】
ところが、一般的なＡ/Ｖネットワークシステムにおいては、コンテンツの再生時に字幕と一緒に表示しなければならない場合、コンテンツと別に存在する字幕を表示する方法がなかった。つまり、字幕とコンテンツとが別に存在する場合、Ａ/Ｖゲートウェイ１００はコンテンツのみ提供した。また、Ａ/Ｖゲートウェイ１００が字幕を提供するとしてもＤＴＶ５２に提供されるコンテンツと同時に字幕を表示する方法はなかった。
【００１２】
従って、字幕サービスを受けることができず、コンテンツの内容を的確に把握しにくくなり、使用者の不便が増大する。
【特許文献１】米国公開特許第２００５−０１３２４０５号公報
【特許文献２】韓国公開特許第２０００−００２６０４９号公報
【特許文献３】韓国登録特許第０４２４４８０号公報
【発明の開示】
【発明が解決しようとする課題】
【００１３】
本発明は前述の問題点を解決するために提出されたもので、本発明の目的は、イーサーネット（登録商標）基盤のインターネット網にて提供されるコンテンツをＩＥＥＥ１３９４網で再生する場合、コンテンツの該当字幕を同時に表示することが可能なウェブサービス技術を支援するＡ/Ｖネットワークにおけるコンテンツ再生時の字幕表示方法及びその装置を提供することにある。
【課題を解決するための手段】
【００１４】
前述の目的を達成するための本発明に係るＡ/Ｖネットワークにおけるコンテンツ再生時の字幕表示方法は、再生選択されたコンテンツの該当字幕を検索し、前記検索された字幕をローディングするステップと、前記ローディングされた字幕をパーシングするステップと、前記パーシングされた字幕と前記再生選択されたコンテンツを復号化するステップと、前記復号化された字幕付きコンテンツを再生可能なフォーマットに符号化するステップと、を含む。
【００１５】
好ましくは、前記復号化ステップは、前記パーシングされた字幕データを該当する字幕の表示時間に字幕の表示期間の間、前記復号化されたコンテンツに出力する。
【００１６】
そして、前記字幕パーシングステップは、前記ローディングされた字幕に含まれている字幕データ、字幕表示時間、及び字幕表示期間を分離することが好ましい。
【００１７】
また、前記符号化された字幕付きコンテンツをＩＥＥＥ１３９４に基盤して伝送するステップを更に含むことが好ましい。
【００１８】
そして、前記符号化ステップは、前記字幕付きコンテンツをＭＰＥＧ２−ＴＳフォーマットに変更してデジタル化することが好ましい。
【００１９】
一方、本発明のコンテンツ再生装置は、再生選択されたコンテンツの該当字幕を検索し、前記検索された字幕をローディングする字幕ローディング部と、前記ローディングされた字幕をパーシングする字幕パーサー部と、前記パーシングされた字幕と前記再生選択されたコンテンツを復号化するコンテンツ復号器と、前記復号化された字幕付きコンテンツを再生可能なフォーマットに符号化するコンテンツ符号器と、を含む。
【００２０】
そして、前記コンテンツ復号器は、前記パーシングされた字幕データを該当する字幕表示時間に字幕表示期間の間、前記復号化されたコンテンツに出力することが好ましい。
【００２１】
好ましくは、前記字幕パーサー部は、前記ローディングされた字幕に含まれている字幕データ、字幕表示時間、字幕表示期間を分離する。
【００２２】
そして、前記符号化された字幕付きコンテンツをＩＥＥＥ１３９4に基盤して伝送するコンテンツ伝送部を更に含むことが好ましい。
【００２３】
また、前記コンテンツ符号器は、前記字幕付きコンテンツをＭＰＥＧ２−ＴＳフォーマットに変更してデジタル化することが好ましい。
【００２４】
そして、本発明のコンテンツ検索装置は、検索のために選択されたコンテンツの字幕データをローディングするローディング手段と、前記字幕データをパーシングするパーシング手段と、前記コンテンツを復号化し、前記復号化されたコンテンツに前記パーシングされた字幕データを出力する復号化手段と、前記パーシングされた字幕データを含む復号化されたコンテンツを符号化する符号化手段と、を含む。
【発明の効果】
【００２５】
本発明によると、コンテンツと同時に字幕が提供されることにより、使用者の利便性が増大する。更に、様々なコンテンツを提供することができ、ＸＨＴ機器の活用性及び使用性が増加するだけではなく、ＸＨＴ標準の活性化及び事業に寄与することができる。
【発明を実施するための最良の形態】
【００２６】
以下、添付の図面に基づいて本発明の好適な実施形態を詳述する。
【００２７】
図２は、本発明の一実施形態に係るＡ/Ｖゲートウェイのブロック図である。
【００２８】
本Ａ/Ｖ（オーディオ/ビデオ）ゲートウェイ２００はイーサーネット（登録商標）基盤のインターネット網にて提供されるコンテンツをＩＥＥＥ１３９４網に含まれているＡ/Ｖ装置に提供する際、コンテンツに該当する字幕をコンテンツ再生と同時に再生して提供する。この時、Ａ/Ｖゲートウェイ２００は別に備えられることもあり、デジタルＴＶ、セットトップボックス、ＤＶＤ再生機器、デジタルアンプなどの様々なＡ/Ｖ装置のうちいずれか一つになり得る。
【００２９】
図２に示すように、本Ａ/Ｖゲートウェイ２００はトランスコードＡＰＩ部２１０、コンテンツ管理部２２０、ＴＣＰ/ＩＰ送受信部２３０、字幕ローディング部２４０、字幕パーサー部２５０、コンテンツ復号器２６０、コンテンツ符号器２７０、及びコンテンツ伝送部２８０を含む。
【００３０】
トランスコードＡＰＩ（アプリケーションプログラムインターフェース）部２１０は、ＤＴＶ５２を介して使用者の命令、例えばコンテンツリストの要請命令、コンテンツ選択命令、コンテンツ再生命令などの入力を受ける。
【００３１】
コンテンツ管理部２２０は、トランスコードＡＰＩ部２１０からコンテンツリスト要請命令が入力されると、ＰＣ１２から提供されるコンテンツに対する情報を用いてコンテンツリストを生成する。
【００３２】
ＴＣＰ/ＩＰ（トランスポートコントロールプロトコル／インターネットプロトコル）送受信部２３０は、インターネット網に含まれているＰＣ１２との通信のためのインターフェースを提供する。つまり、ＴＣＰ/ＩＰ送受信部２３０はコンテンツリストの要請命令をＰＣ１２に送信し、ＰＣ１２からコンテンツに対する情報を受信する。また、ＴＣＰ/ＩＰ送受信部２３０は、コンテンツ選択命令及び再生命令に応じたコンテンツ及びコンテンツの該当字幕をＰＣ１２から受信する。
【００３３】
字幕ローディング部２４０は、コンテンツ選択命令が入力されるとＰＣ１２にて選択されたコンテンツの該当字幕を検索する。そして、字幕ローディング部２４０は検索された該当字幕をローディングする。
【００３４】
字幕パーサー部２５０は、ローディングされた字幕をパーシングする。具体的に、字幕パーサー部２５０は字幕に含まれている字幕表示時間、字幕表示期間、及び字幕データを分離する。
【００３５】
コンテンツ復号器２６０は、コンテンツ選択命令及び再生命令が入力されるとＴＣＰ/ＩＰ送受信部２３０を介して受信されたコンテンツを復号化する。この時、コンテンツ復号器２６０は字幕パーサー部２５０によってパーシングされた字幕データを該当する字幕表示時間に字幕表示期間の間復号化されたコンテンツに出力する。
【００３６】
コンテンツ符号器２７０は、コンテンツ復号器２６０によって復号化されたコンテンツを符号化する。具体的に、コンテンツ符号器２７０は字幕データが含まれたコンテンツをＤＴＶ５２が再生可能なフォーマットであるＭＰＥＧ２−ＴＳ（トランスポートストリーム）に変更してデジタル化する。
【００３７】
コンテンツ伝送部２８０は、コンテンツ符号器２７０によって符号化されたコンテンツをＤＴＶ５２に伝送する。この時、コンテンツ伝送部２８０はＩＥＥＥ１３９４に基盤して字幕付きコンテンツを伝送する。
【００３８】
図３は、本発明の一実施形態に係るＡ/Ｖゲートウェイにおけるコンテンツ再生時の字幕表示方法の説明に提供されるフローチャートである。
【００３９】
同図に示すように、コンテンツ管理部２２０は、コンテンツリスト要請命令が入力されたか否かを判断する（Ｓ３００）。コンテンツリスト要請命令はＤＴＶ５２から使用者によって入力され、トランスコードＡＰＩ部２１０を介して入力される。
【００４０】
コンテンツリスト要請命令が入力されたことと判断されると（Ｓ３００−Ｙ）、コンテンツ管理部２２０はコンテンツリストを生成し、ＤＴＶ５２に表示する（Ｓ３１０）。コンテンツリストはコンテンツ符号器２７０によってＭＰＥＧ２−ＴＳフォーマットに変換された後、コンテンツ伝送部２８０を介してＤＴＶ５２に伝送される。
【００４１】
字幕ローディング部２４０は、コンテンツ選択及び再生命令が入力されたか否かを判断する（Ｓ３２０）。コンテンツ選択及び再生命令はＤＴＶ５２から使用者によって入力され、トランスコードＡＰＩ部２１０を介して入力される。
【００４２】
コンテンツ選択及び再生命令が入力されたことと判断されると（Ｓ３２０−Ｙ）、字幕ローディング部２４０は再生選択されたコンテンツの該当字幕を検索し、検索された字幕をローディングする（Ｓ３３０）。再生選択されたコンテンツの該当字幕が検索されない場合には、字幕ローディング部２４０は字幕が存在しないというメッセージを生成して表示することができる。
【００４３】
字幕パーサー部２５０はローディングされた字幕をパーシングする（Ｓ３４０）。字幕表示はコンテンツの該当字幕を表示しなければならない時間に表示しなければならない期間の間表示することである。例えば、「字幕表示」という字幕データをコンテンツ再生時間０を基準にして５分後３０秒間表示することである。このために、字幕は字幕データ、字幕表示時間、字幕表示期間を含み、字幕パーサー部２５０は各々を分離する。
【００４４】
コンテンツ復号器２６０は、再生選択されたコンテンツとパーシングされた字幕データを復号化する（Ｓ３５０）。この時、コンテンツ復号器２６０は、コンテンツの出力時間と一致する字幕表示時間に表示すべき字幕データが存在すると、字幕データのビットマップイメージを生成し、生成された字幕イメージを復号化したコンテンツと同時に字幕表示期間の間出力する。
【００４５】
コンテンツ符号器２７０はコンテンツ復号器２６０によって復号化された字幕データ付きコンテンツを符号化する（Ｓ３６０）。
【００４６】
そして、コンテンツ伝送部２８０は、コンテンツ符号器２７０によって符号化された字幕データ付きコンテンツをＤＴＶ５２に伝送する（Ｓ３７０）。
【００４７】
これにより、使用者に視聴してもらいたいコンテンツと共に字幕を再生することのできるサービスを提供する。
【００４８】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００４９】
【図１】一般的なＡ/Ｖネットワークシステムを示す図である。
【図２】本発明の一実施形態に係るＡ/Ｖゲートウェイのブロック図である。
【図３】本発明の一実施形態に係るＡ/Ｖゲートウェイにおけるコンテンツ再生時の字幕表示方法の説明に提供されるフローチャートである。
【符号の説明】
【００５０】
２００      Ａ/Ｖゲートウェイ
２１０      トランスコードＡＰＩ部
２２０      コンテンツ管理部
２３０      ＴＣＰ/ＩＰ送受信部
２４０      字幕ローディング部
２５０      字幕パーサー部
２６０      コンテンツ復号器
２７０      コンテンツ符号器
２８０      コンテンツ伝送部
【図１】
2007184899.tif 000003
【図２】
2007184899.tif 000004
【図３】
2007184899.tif 000005